(57)【要約】【課題】  教室、ホール等に設けられる階段状の段床を敷設するための段床支持脚、及びこれを用いた段床構造に関し、生産性、施工性に優れ、拡張性にも優れる段床支持脚及びこれを用いた段床構造を提供することを目的とする。【解決手段】  段床の任意の蹴込み部１３の上側の踏み面１４、及び下側の踏み面１４の各下地材をそれぞれ支持する段床支持脚２であって、基礎面１に配置し立設される支柱部材８と、上記支柱部材８の上部に配置され、上記上側の踏み面１４の下地形成に係る第一大引材４を載置し支持する第一大引支持部材１０と、上記支柱部材８に取り付けられ、上記下側の踏み面１４の下地形成に係る第二大引材５を止着手段４６により止着し支持する第二大引支持部材１２と、を有する構成である。【選択図】  図１
2018084089.tif 000002
【特許請求の範囲】
【請求項１】
段床の任意の蹴込み部の上側の踏み面、及び下側の踏み面の各下地材をそれぞれ支持する段床支持脚であって、
基礎面に配置し立設される支柱部材と、
上記支柱部材の上部に配置され、上記上側の踏み面の下地形成に係る第一大引材を載置し支持する第一大引支持部材と、
上記支柱部材に取り付けられ、上記下側の踏み面の下地形成に係る第二大引材を止着手段により止着し支持する第二大引支持部材と、を有することを特徴とする段床支持脚。
【請求項２】
上記第二大引支持部材は、上記支柱部材に取り付けられる位置調整具を有し、この位置調整具に上記第二大引材を止着し支持させたことを特徴とする請求項１記載の段床支持脚。
【請求項３】
上記第二大引支持部材の位置調整具は、断面矩形状、断面Ｃ字状、断面Ｌ字又は逆Ｌ字状の形状をなし、支柱部材が挿通可能な挿通孔部又は支柱部材が嵌入可能な切欠き部を有することを特徴とする請求項２記載の段床支持脚。
【請求項４】
上記第二大引支持部材の位置調整具を、上板部、この上板部の左右部から下方に屈曲形成される側板部、及び下板部からなる断面矩形状に形成し、上記上板部及び下板部に、それぞれ上記支柱部材が挿通可能な挿通孔部又は支柱部材を嵌入可能な切欠き部を設けたことを特徴とする請求項２記載の段床支持脚。
【請求項５】
上記位置調整具の上記挿通孔部又は切欠き部に、筒状又は溝状の補強部材を嵌め入れ、この補強部材の内部に上記支柱部材を挿通させたことを特徴とする請求項３又は４に記載の段床支持脚。
【請求項６】
上記第二大引材を、頂部、この頂部の両側からそれぞれ一方向に屈曲形成される両側面部、及び各側面部の端部から外向きに屈曲形成される両フランジ部からなる断面ハット状に形成し、上記位置調整具の側板部に上記第二大引材のフランジ部を上記止着手段により止着したことを特徴とする請求項２乃至５の何れかに記載の段床支持脚。
【請求項７】
上記支柱部材に螺子溝を刻設し、この支柱部材に上記第二大引支持部材を高さ調整可能に取り付けたことを特徴とする請求項１乃至６の何れかに記載の段床支持脚。
【請求項８】
上記基礎面に配置される支持台の上部に、上記支柱部材を固定的に立設し又は高さ調整可能に立設したことを特徴とする請求項１乃至７の何れかに記載の段床支持脚。
【請求項９】
上記基礎面の前後方向に、請求項１乃至８の何れかに記載の段床支持脚を配置し、
任意の上記段床支持脚の第一大引支持部材と第二大引支持部材との間の間隔を、段床の蹴上げ高さに調整し、上記任意の上記段床支持脚の第一大引支持部材の高さと、その直後の上記段床支持脚の第二大引支持部材の高さとを同一に調整し、
上記各段床支持脚について、同じ丈の段床支持脚を横方向に一列に配置し、これら横方向に配置した各段床支持脚の第一大引支持部材間、及び第二大引支持部材間にそれぞれ第一及び第二大引材を配置し、これら大引材をそれぞれ上記第一大引支持部材及び上記第二大引支持部材に取り付け、
上記任意の段床支持脚の第一大引支持部材に取り付けた第一大引材の上部と、その直後の上記段床支持脚の第二大引支持部材に取り付けた第二大引材の上部間に、踏床材を配置して段床の踏み面を形成したことを特徴とする段床構造。
【発明の詳細な説明】
【技術分野】
【０００１】
本発明は、教室、ホール等に設けられる階段状の段床を敷設するための段床支持脚、及びこれを用いた段床構造に関する。
【背景技術】
【０００２】
従来、階段状の段床に関して例えば特許文献１に記載の床組工法が知られている。これは、図９に示すように、先ず床スラブ上に、高さが階段状に異なる複数の床支持脚１００を列状に立設し、これら支持脚１００間に傾斜状に大引材１０２を載置し、これら大引材１０２上に直交向に根太材１０４を固定し、上部に鋼板１０６を敷設して傾斜面を形成する。そして、上記傾斜面上に所定間隔をおいて蹴込みプレート１０８及び側端プレート１１０を取り付け、各蹴込みプレート１０８間にコンクリートを打設し、階段床を構築するものである。
【０００３】
また特許文献２記載の段床構造は、スタジアム等に客席を設ける場合の段床に関し、踏み板、蹴上げ板が連続する段床基板を設け、最上段の踏み板にアジャストボルトを取り付けて高さ調整可能に段床ユニットを構成し、各段床ユニットを段床構築位置で受梁に沿って並列階段状に架設し、段床ユニット同士を接合して段床構造を構築するというものである。
【０００４】
特許文献３には鋼製床束が記載されており、これは設置プレート、大引を受け止める受けプレート、及び設置プレートと受けプレートとにそれぞれ立設固定したパイプ部材を有し、各パイプ部材の内周面に雌ネジを形成し、両端部に両パイプ部材の雌ネジと螺合する雄ネジを設け、この途中部に回転操作用の操作ナットを設けたネジ棒を備えたものである。
【先行技術文献】
【特許文献】
【０００５】
【特許文献１】特開２０００−３０９９９９号公報
【特許文献２】特開２０００−２３０３０３号公報
【特許文献３】特開２００３−１３８６８３号公報
【発明の概要】
【発明が解決しようとする課題】
【０００６】
さて、特許文献１に記載の床組工法は、階段状に床組みを行う際、各床支持脚が傾斜状に大引材を支える構成であるため、各床支持脚の高さ等全体のバランスを取るのに注意を要し、また階段状の床をコンクリートで構成しているため搬送、施工も大掛かりになるという問題がある。
また、特許文献２の段床構造は、多数段の段床基板、或いは受梁等を用いる構造であるため、材料が大型化して作業性、拡張性、搬送性に欠けるという問題がある。
【０００７】
特許文献３に係る鋼製床束は、高さ調整可能に配置された受けプレートに大引を載置し支持する床束であり、床束の中間部は高さ調整機構が設けられている。このような床束は、受けプレートの一か所で大引を支持する形態であり、異なる高さに大引を配置する場合には二種類の高さの床束を用意する等、床束の部品点数が増加し又床束の設置件数が増えて作業も手間取るという問題がある。
【０００８】
本発明は上記問題点を解決するためになされたものであり、生産性、施工性に優れ、拡張性にも優れる段床支持脚及びこれを用いた段床構造を提供することを目的とする。
【課題を解決するための手段】
【０００９】
以上の技術的課題を解決するため、本発明に係る段床支持脚は、図１，２等に示すように、段床の任意の蹴込み部１３の上側の踏み面１４、及び下側の踏み面１４の各下地材をそれぞれ支持する段床支持脚２であって、基礎面１に配置し立設される支柱部材８と、上記支柱部材８の上部に配置され、上記上側の踏み面１４の下地形成に係る第一大引材４を載置し支持する第一大引支持部材１０と、上記支柱部材８に取り付けられ、上記下側の踏み面１４の下地形成に係る第二大引材５を止着手段４６により止着し支持する第二大引支持部材１２と、を有する構成である。
ここにおいて、上記第二大引支持部材１２の支柱部材８への取り付け位置は、支柱部材８の中間部（上部近傍から下部近傍間の部位）の適宜な位置が選ばれる。また、第二大引支持部材１２には、例えば縦向きの止着部位を設け、ここに第二大引材５を止着手段により止着し固定する。
【００１０】
本発明の段床支持脚に係り、上記第二大引支持部材１２は、上記支柱部材８に取り付けられる位置調整具４４を有し、この位置調整具４４に上記第二大引材５を止着し支持させた構成である。ここにおいて、例えば上記第二大引材５を、位置調整具４４の側部（縦向き）を止着部位とし、この部位に止着する。
【００１１】
本発明の段床支持脚に係り、上記第二大引支持部材１２の位置調整具４４は、断面矩形状、断面Ｃ字状、断面Ｌ字又は逆Ｌ字状の形状をなし、支柱部材８が挿通可能な挿通孔部又は支柱部材８が嵌入可能な切欠き部を有する構成である。ここでは、位置調整具４４の例えば縦向きの部位を止着部とし、ここに上記第二大引材５を止着する。
【００１２】
また、本発明に係る段床支持脚は、上記第二大引支持部材１２の位置調整具４４を、上板部４８、この上板部４８の左右部から下方に屈曲形成される側板部５０，５０、及び下板部５２からなる断面矩形状に形成し、上記上板部４８及び下板部５２に、それぞれ上記支柱部材８が挿通可能な挿通孔部５４，５６又は支柱部材を嵌入可能な切欠き部５５，５７を設けた構成である。ここでは、側板部５０を止着部位とし、ここに上記第二大引材５を止着する。
【００１３】
本発明に係る段床支持脚は、上記位置調整具４４の挿通孔部又は切欠き部に、筒状又は溝状の補強部材６９，７１を嵌め入れ、この補強部材６９，７１の内部に上記支柱部材８を挿通させた構成である。
【００１４】
また、本発明に係る段床支持脚は、上記第二大引材５を、頂部５８、この頂部５８の両側からそれぞれ一方向に屈曲形成される両側面部５９，５９、及び各側面部の端部から外向きに屈曲形成される両フランジ部６１，６１からなる断面ハット状に形成し、上記位置調整具４４の側板部５０に上記第二大引材５のフランジ部６１を上記止着手段４６により止着した構成である。
【００１５】
また、本発明に係る段床支持脚は、上記支柱部材８に螺子溝を刻設し、この支柱部材８に上記第二大引支持部材１２を高さ調整可能に取り付けた構成である。
また、本発明に係る段床支持脚は、上記基礎面に配置される支持台９の上部に、上記支柱部材８を固定的に立設し又は高さ調整可能に立設した構成である。
【００１６】
本発明に係る段床構造は、上記基礎面の前後方向に、上記何れかに記載の段床支持脚２を配置し、任意の上記段床支持脚２の第一大引支持部材１０と第二大引支持部材１２との間の間隔を、段床の蹴上げ高さに調整し、上記任意の上記段床支持脚２の第一大引支持部材１０の高さと、その直後の上記段床支持脚２の第二大引支持部材１２の高さとを同一に調整し、上記各段床支持脚２について、同じ丈の段床支持脚２を横方向に一列に配置し、これら横方向に配置した各段床支持脚２の第一大引支持部材１０間、及び第二大引支持部材１２間にそれぞれ第一及び第二大引材４，５を配置し、これら大引材をそれぞれ上記第一大引支持部材１０及び上記第二大引支持部材１２に取り付け、上記任意の段床支持脚２の第一大引支持部材１０に取り付けた第一大引材４の上部と、その直後の上記段床支持脚２の第二大引支持部材１２に取り付けた第二大引材５の上部間に、踏床材６を配置して段床の踏み面１４を形成した構成である。
【発明の効果】
【００１７】
本発明に係る段床支持脚によれば、支柱部材と、この上部に配置され、上側の踏み面の第一大引材を支持する第一大引支持部材と、支柱部材に取り付けられ、下側の踏み面の第二大引材を支持する第二大引支持部材と、を有する構成を採用したから、段床の構築に係る作業の効率化が図れて生産性、及び施工性に優れ、また一つの段床支持脚で、段床の上段及び下段の各踏み面の下地等が形成されることから、材料が削減されて経済性にも優れるという効果を奏する。
【００１８】
本発明に係る段床支持脚によれば、第二大引支持部材は、支柱部材に取り付けられる位置調整具を有し、これに第二大引材を止着した構成としたから、第二大引材が支柱部材に安定かつ有効に支持されるという効果がある。
【００１９】
本発明に係る段床支持脚によれば、第二大引支持部材の位置調整具を断面矩形状に形成し、上板部及び下板部にそれぞれ支柱部材の挿通孔部等を設けた構成としたから、支柱部材への第二大引支持部材の取付け及び保持が容易であるという効果がある。
本発明に係る段床支持脚によれば、位置調整具の挿通孔部又は切欠き部に、筒状又は溝状の補強部材を嵌め入れ、支柱部材を挿通させた構成としたから、位置調整具の挿通孔部等が補強され、支柱部材に対する位置調整具の固定を強固にすることができるという効果がある。
【００２０】
また、本発明に係る段床支持脚によれば、第二大引材を断面ハット状に形成し、位置調整具の側板部に第二大引材のフランジ部を止着した構成としたから、位置調整具に対する第二大引材の止着が効果的に行え、また作業性にも優れるという効果がある。
【００２１】
本発明に係る段床構造によれば、段床支持脚の第一大引支持部材と第二大引支持部材との間を、段床の蹴上げ高さに調整し、横方向の第一大引支持部材間、及び第二大引支持部材間にそれぞれ第一及び第二大引材を配置し、これら大引材の上部間に踏床材を配置して段床の踏み面を形成した構成を採用したから、現場では主にビス等を用いて、各部材を組み立てて段床を完成することができることから、作業が迅速且つ容易に行えて生産性及び施工性に優れ、また材料が削減されて経済性にも優れ、加えて教室、ホール等の基礎面に、踏み面の大きさ、蹴上の高さなど適宜に設定可能な段床が形成でき、段床構造の自由度が高く拡張性にも優れるという効果を奏する。
【図面の簡単な説明】
【００２２】
【図１】実施の形態に係り、段床支持脚及び段床構造（一部）の側面を示す図である。
【図２】実施の形態に係り、段床構造の要部を示す図である。
【図３】実施の形態に係る第二大引支持部材を示す図である。
【図４】第二大引支持部材の位置調整具を示す図であり、（ａ）は挿通孔部を設けた例、（ｂ）は切欠き部を設けた例を示す。
【図５】第二大引支持部材を示す図であり、（ａ）は位置調整具に切欠き部を形成した例（２例）を示し、（ｂ）は切欠き部を形成した位置調整具に、外れ防止プレートを設けた例を示す。
【図６】位置調整具に補強部材を取り付けた図であり、（ａ）は挿通孔部に補強部材を取り付けた例を、（ｂ）は切欠き部に補強部材を取り付けた例を示す。
【図７】実施の形態に係り、段床構造の全体の側面を示す図である。
【図８】実施の形態に係り、段床支持脚及び段床構造（一部）の正面を示す図である。
【図９】従来例に係る床組工法を示す図である。
【発明を実施するための形態】
【００２３】
以下、本発明の実施の形態を図面に基づいて説明する。
図１，２は、実施の形態に係る段床支持脚２等を示したものである。この段床支持脚２を用いた段床構造３は、教室、講義室、会議室、映画館、劇場、ホール、コンサートホール、イベント会場、その他公共の施設等において、基礎面１上に構築し、客席、座席等の設置が可能な階段状の段床に採用できる。
上記段床構造３は、段床支持脚２、第一大引材４、第二大引材５及び踏床材６（根太材、踏み板）等を有する。
【００２４】
上記段床支持脚２は、支柱部材８、支持台９、第一大引支持部材１０、及び第二大引支持部材１２等を有し、全体が鋼材からなる。
段床支持脚２の第一大引支持部材１０及び第二大引支持部材１２は、それぞれ段床の任意の蹴込み部１３の上側の踏み面１４及び下側の踏み面１４を形成する各下地材を支持する。これら下地材には、段床の下地構造を形成する第一大引材４、第二大引材５、及び踏床材６等が含まれる。
【００２５】
段床支持脚２は、支持台９の上部に支柱部材８を立設し、この支柱部材８の上部に第一大引支持部材１０を配置し、また支柱部材８の中間部に第二大引支持部材１２を取り付けた形態である。
上記第一大引支持部材１０に第一大引材４を、また第二大引支持部材１２に第二大引材５をそれぞれ取り付け、段床の蹴込み部１３の上段部、及び下段部の各踏み面１４の下地を形成する。第一大引支持部材１０と第二大引支持部材１２との間の部位に、段床の蹴込み部１３が形成され、その間隔が蹴上げの高さとなる。
【００２６】
支持台９は、平坦な保持部１６、この左右部から斜め下方に形成される脚部１７，１７、各脚部１７からそれぞれ水平状外向きに形成される固定部１８からなる。また、保持部１６の中央には、支柱部材８を通過させる保持孔２０が設けられている。なお、保持孔２０に螺子溝を刻設し、これに支柱部材８を高さ調整可能に螺合させる形態を採用することもできる。
支持台９の固定部１８は、接着剤或いはビス（コンクリートビス）等の止着具を用いて基礎面１に固定する。
【００２７】
上記支柱部材８は、円柱状の棒材の全体に螺子溝が刻設された形状である。この支柱部材８は、ナット２２，２３及びワッシャ２４を用いて、支持台９の保持部１６に高さ調整可能に立設する。
支柱部材８の下部に、予めナット２２を螺合してその下部側にワッシャ２４を嵌め、支柱部材８の下部を支持台９の保持孔２０に差し込み、下からナット２３を螺合する。そして、これら２つのナット２２，２３で保持部１６を挟み、この形態で支柱部材８を支持台９に立設固定する。
【００２８】
尚、支持台９の保持部１６の上部或いは下部にナットを溶接等により固定し、これに支柱部材８を螺入して、高さ調整可能に立設することもできる。また、支持台９に支柱部材８を直接溶接等により固定し立設するような、ユニットタイプ化した形態も可能である。
また、上記支持台９に替えて、板状の座材に支柱部材８を立設固定した形態を採用することもできる。支持台９を用いないで、支柱部材８の下部を直接基礎面１に埋設して固定し、立設する形態等も採用可能である。
【００２９】
上記第一大引支持部材１０は、底板部３０、及び左右の側板部３２からなる断面Ｕ字状の受け具２８を有する。この受け具２８は、第一大引材４の載置が可能な形状であるが、他に、受け具として断面Ｌ字状、或いは平坦な板状等、第一大引材４が載置可能な形状であれば、如何なる形状のものでも採用可能である。
また、第一大引支持部材１０の底板部３０の中央部には孔部３４が形成され、この孔部３４は支柱部材８の上部が挿通可能である。そして、上記底板部３０の下部には、上記孔部３４と同じ中心位置にナット３６が溶接により固定されている。
【００３０】
第一大引支持部材１０の受け具２８には、左右の側板部３２の上部近傍の中央部に、それぞれ大引固定具３７を取り付けるための孔部４２が形成されている。
この大引固定具３７としては、ボルト３８及びナット４０からなるものを使用し、このボルト３８の軸部を左右の側板部３２の各孔部４２に挿通させ、外側からナット４０を締結し、受け具２８内の第一大引材４を固定する。他に、ビス等を受け具２８の側板部３２から螺入し、さらに第一大引材４の側部にねじ込み、第一大引材４を直接受け具２８に固定するようにしてもよい。
【００３１】
図３に示すように、第二大引支持部材１２は、鋼材からなる位置調整具４４、及び止着手段（４６）としての止着具４６を有する。
位置調整具４４は、図４（ａ）にも示すように、上板部４８、左右の側板部５０、及び下板部５２からなる縦方向が長い断面矩形状の部品である。そして、位置調整具４４の側板部５０を止着部位とし、ここに止着具４６を用いて第二大引材５を止着する。
また、位置調整具４４の上板部４８の中央には挿通孔部５４が、また下板部５２の中央にも挿通孔部５６が形成され、これら両挿通孔部５４，５６は支柱部材８の挿通が可能である。この位置調整具４４は、両挿通孔部５４，５６に支柱部材８を挿通させ、この状態で、ナット等を用いて上板部４８と下板部５２とを支柱部材８に固定する。
【００３２】
位置調整具４４として他に、図４（ｂ）に示すように、上記両挿通孔部に替えて切欠き部５５，５７を設けることもできる。この切欠き部５５，５７は、位置調整具４４の上板部４８及び下板部５２の各一辺部から中央部に向けてそれぞれ形成する。
上記切欠き部５５，５７は、ここでは、側板部５０と直交する側の上板部４８と下板部５２との各辺部の中央部から、各板部の中心部にかけて所定の幅（支柱部材８が嵌合可能な幅）だけ、切り欠き形成した形状である。
他に、切欠き部５５，５７を、側板部５０が設けられた側に形成することもできる。この場合、側板部５０の中央部を上下に所定幅（支柱部材８が嵌入可能な幅）だけ切除し、そのまま上板部４８と下板部５２との各辺部の中央部から、各板部の中心部にかけて同様の幅だけ切り欠いた形状となる。
【００３３】
上記位置調整具４４は、両切欠き部５５，５７を支柱部材８に嵌め込み、これら両切欠き部５５，５７（奥の部位）に支柱部材８を挿通させ、この状態で、ナット等を用いて上板部４８と下板部５２とを支柱部材８に固定する。この位置調整具４４についても、側板部５０に第二大引材５を止着する。
上記位置調整具４４（切欠き部５５，５７付き）を用いた場合、第二大引支持部材１２の後付けが可能となり、或いは他の第二大引支持部材１２との交換等が容易に行える。この場合、予め支柱部材８にナット等を螺着しておく。
【００３４】
図５（ａ）に示すように、位置調整具４４の切欠き部５５，５７には、一方向に切り欠いた形状の切欠き部５５等、及び一方向から直角に屈曲した形状に切り欠いた切欠き部５５ａ，５７ａ等がある。
また図５（ｂ）に示すように、位置調整具４４に切欠き部５５，５５ａ等を設けた場合、外れ防止プレート５１を利用することが好ましい。この外れ防止プレート５１には凹状の係合部５３が形成され、この係合部５３を切欠き部５５，５５ａ等と対応させ、両者で支柱部材８を挟持する。この外れ防止プレート５１は、上記切欠き部５５，５５ａ等を設けた上板部４８（及び／又は下板部５２）の上面部或いは下面部に、ビス（又は接着剤）等を用いて取り付ける。外れ防止プレート５１を用いることにより、より強固に位置調整具４４を支柱部材８に固定することができる。
また、位置調整具４４の両側板部５０の各側端部を少し延長し、この延長部位をそれぞれ内側に屈曲して補強片４９，４９を形成することができる。この補強片４９により、位置調整具４４の強度が高められる。
【００３５】
なお、位置調整具４４として、左右に側板部が形成された断面矩形状以外に、これら側板部の一方（第二大引材５を止着していない側）及び／又は、上板部もしくは下板部の一方を欠いた形状も可能である。
他に、位置調整具４４として、断面Ｃ字状等の形状、断面Ｌ字（又は逆Ｌ字）状の形状、断面Ｕ字（又は逆Ｕ字）状の形状、平板形状等のものがある。そして、上記位置調整具４４には、支柱部材８が挿通可能な挿通孔部又は嵌入可能な切欠き部等が設けられ、また第二大引材５を止着具４６により止着可能な部位（止着部位）が形成された形状であれば、何れも採用が可能である。
上記止着部位としては、例えば位置調整具４４の縦向き（垂直）の部位、或いは傾斜（坂状）した部位等、第二大引材５が止着可能な範囲（面積）を有し、止着具４６の止着により支持され固定される部位であればよい。上記止着具４６による止着により、第二大引材５が位置調整具４４に支持され固定される。
【００３６】
ここで、位置調整具４４として、上記断面Ｃ字状のものは、例えば、断面矩形状の一方の側板部の一部が欠けた形状があり、この場合、上板部と下板部にそれぞれ挿通孔部等を設けて支柱部材８を挿通し、また他方の側板部に第二大引材５を止着する。
また、断面Ｌ字（又は逆Ｌ字）状、断面Ｕ字（又は逆Ｕ字）状のものは、横向きの部位に挿通孔部を設け、縦向きの部位に第二大引材５を止着する。
【００３７】
また、支柱部材８への固定を強固にするために、位置調整具４４として、例えば挿通孔部間が中空ではなく、中実（中身が詰まった）で立体形状（直方体材等）のものを採用することもできる。この位置調整具４４の場合、支柱部材８を挿通させるため、直方体材等に上下向きの貫通孔を設けて支柱部材８を挿通させ、また縦の壁面部を止着部位として第二大引材５を止着する。上記貫通孔は、内周に螺子溝を刻設し、支柱部材８を螺入させるようにしてもよい。
【００３８】
また、図６（ａ）に示すように、位置調整具４４には、支柱部材８を囲む形で補強部材６９を設けてもよい。この補強部材６９は、筒状（例えば円筒状）の鋼材からなる。補強部材６９は、内部を支柱部材８が挿通可能なように、内径等は支柱部材８の外径より大きく（僅かに）形成する。
補強部材６９は、位置調整具４４の挿通孔部５４，５６（直接支柱部材８を挿通させる場合より内径を大きく形成）に取り付けられ、位置調整具４４の上板部４８の挿通孔部５４と、下板部５２の挿通孔部５６間にわたって挿通させて嵌入する。そして、補強部材６９と上板部４８の挿通孔部５４近傍、及び下板部５２の挿通孔部５６近傍とをそれぞれ溶着、接着等により固定する。
補強部材６９により、位置調整具４４の挿通孔部５４，５６を補強し、支柱部材８に対する位置調整具４４の固定を強固にすることができる。
【００３９】
また、図６（ｂ）に示すように、位置調整具４４として上記切欠き部５５，５７を設けた形態の場合は、断面Ｕ字又は半円等の溝状の補強部材７１を、両切欠き部間にわたって用いてもよい。この場合も、補強部材７１と上板部４８の切欠き部５５近傍、及び下板部５２の切欠き部５７近傍とをそれぞれ溶着等により固定する。この位置調整具４４は、補強部材７１の溝状の部位を支柱部材８に嵌め合わせ、溝内を支柱部材８が挿通する状態に配置する。
なお、上記補強部材６９，７１は、上下の挿通孔部の一方のみ、また切欠き部の一方のみに設けてもよい。また、補強部材６９，７１と併せて上記外れ防止プレート５１を用いることにより、強固に位置調整具４４を支柱部材８に固定することができる。
【００４０】
上記第二大引支持部材１２では、位置調整具４４の側板部５０に、止着具４６を用いて第二大引材５を取り付ける。
このように第二大引材５を、位置調整具４４の止着部としての側板部５０に止着する場合、止着具４６としては、ビス、セルフドリリング可能なビス、又はボルト（ナット）等を用いる。
止着具４６が、ビス等の場合には止着用の孔は、必要により、予め位置調整具４４の側板部５０の止着箇所に設けておいてもよい。また、止着具４６がボルト（ナット）等の場合は、止着孔は、例えば位置調整具４４の側板部５０の上部近傍の左右の２箇所、及び下部近傍の左右の２箇所に設けておく。この止着孔は、ボルトの挿通孔として使用し、またナットに代えて止着孔に螺子溝を刻設しておいてもよい。
【００４１】
上記第一大引支持部材１０に取り付ける第一大引材４は、ここでは、上面部４５、左右の側面部４７、及び各側面部の下部からそれぞれ内向きに下片部４３が形成され、下部中央部が開口したＣ字状（断面）の長尺状の鋼材を用いている。この第一大引材４は、断面が正方形状であるが、これは他に断面が長方形状（縦長、或いは横長）のものを用いても良い。
他に、第一大引材４として、断面四角形（正方形状、長方形状など）の角型鋼、断面Ｃ字状（側部等が開口）の鋼材、Ｈ型鋼、断面ハット形鋼等の鋼材の使用が可能である。第一大引材４は、第一大引支持部材１０の受け具２８に載置可能な形状であれば、如何なる形状のものでも採用可能である。
【００４２】
また、第二大引支持部材１２に取り付ける第二大引材５は、ここでは頂部５８、左右の側面部５９、及び各側面部からそれぞれ外向きにフランジ部６１が形成された、断面ハット状の長尺状の鋼材を用いている。
この第二大引材５を第二大引支持部材１２取り付ける場合、フランジ部６１を第二大引支持部材１２の位置調整具４４に止着する。第二大引材５の該当部位から止着具４６を螺入、又は挿入し、位置調整具４４の側板部５０に第二大引材５を止着する。
止着具４６としてビス等による場合は、これを第二大引材５の該当箇所から位置調整具４４の側板部５０にかけて螺入し、第二大引材５を取り付ける。また、止着具４６としてボルト及びナット等による場合は、第二大引材５及び位置調整具４４の側板部５０の各止着場所に予め止着孔を開けておき、これにボルトを挿入しナットで両者を締結する。
【００４３】
また、第二大引材５として、上片部、側板部及び下片部からなり、一方の側部が開口する断面Ｃ字状の鋼材を用いても良い。この場合には、側板部を位置調整具４４に止着する。
他に、第二大引材５として、断面四角形（正方形状、長方形状など）の角型鋼等の使用が可能である。この場合、作業性を考慮して、止着する側と反対の側板部には、ビス等の止着具４６の止着に用いるドライバー等の工具が差し込める作業用孔を設けておくのが効果的である。
第二大引材５は、第一大引支持部材１０の位置調整具４４に止着可能な形状であり、また止着した状態で踏床材６が取り付け可能な部位、例えば横向きの部位が形成されるものであれば、如何なる形状のものでも採用可能である。
【００４４】
次に、上記段床支持脚２の組み立て方法等について説明する。
ここでは、先ず支柱部材８の中間部（第一大引支持部材１０の下方で、第一大引支持部材１０と支持台９との間）に第二大引支持部材１２を取り付ける。支柱部材８を、第二大引支持部材１２の位置調整具４４の挿通孔部５４から、下板部５２の挿通孔部５６にかけて挿通させ、支柱部材８の中間部に第二大引支持部材１２を嵌める。
そして、位置調整具４４の上板部４８の上側にワッシャ６３を介在させてナット６４を螺合し、下板部５２の下側からワッシャ６３を介在させてナット６６を締結し、位置調整具４４を上下部から挟む状態で、支柱部材８に第二大引支持部材１２を高さ調整可能に取り付け固定する。
【００４５】
このとき、上記位置調整具４４の下板部５２とワッシャ６３（ナット６６）との間に、中空板状の座金部材を介在させてもよい。この座金部材は鋼材からなり、下板部５２と同程度の大きさを有し、広い面積で位置調整具４４を支えることでナット６６による支持を補強する。
第二大引支持部材１２は、ナット６４，６６を調整することにより、支柱部材８の中間部に高さ調整可能に配置でき、支柱部材８の所定位置に取り付ける。具体的には、第一大引支持部材１０から略蹴上の高さ分下方位置であって、支柱部材８の該当位置に第二大引支持部材１２を取り付ける。
なお、位置調整具４４に補強部材６９を設けた場合であっても、この補強部材６９に支柱部材８を挿通させ、他は上記と同様な形態で位置調整具４４を支柱部材８に取り付ける。
また、上記位置調整具４４に切欠き部５５等を設けたものは、適宜な時点で、位置調整具４４を支柱部材８に嵌め込み、上記ナット６４，６６等を用いて取り付け固定する。
【００４６】
続いて、支持台９の保持部１６に支柱部材８の下部近傍を取り付ける。この場合、支持台９の保持孔２０に支柱部材８の下部を差し込み、ナット２２，２３及びワッシャ２４を用いて支柱部材８を支持台９に立設固定する。
【００４７】
最後に、支柱部材８の上部に第一大引支持部材１０を取り付ける。先に、支柱部材８の上部近傍にナット６８を螺着し、その上部にワッシャ６３を介在させ、支柱部材８の上端部を、第一大引支持部材１０の下部に固定されたナット３６に螺入する。この際、支柱部材８の上端部は、ナット３６の上部の受け具２８の孔部３４を通過して、受け具２８の内部に突入可能である。
これにより、段床支持脚２は、支持台９に対して支柱部材８が高さ調整可能に、また、支柱部材８に対する第二大引支持部材１２の高さ位置も、自在に調整可能に設定でき、支柱部材８に対して第一大引支持部材１０の高さも調整可能である。
【００４８】
なお、段床支持脚２は、第二大引支持部材１２に取り付けた第二大引材５からの荷重を受ける際、その荷重の中心は、支柱部材８の中心から第二大引材５側に偏っている。また、第一大引支持部材１０は、その中心を支柱部材８の中心と一致させており、このため第一大引材４は偏りなく支柱部材８の中心で支持される形態である。
この場合、第一大引支持部材１０及び第二大引支持部材１２の両者に相当な荷重が加わる状況が予想される場合等では、例えば、段床支持脚２の支持バランスをとるため、第一大引支持部材１０の中心位置を、支柱部材８の中心から、第二大引支持部材１２における第二大引材５の取り付け位置とは反対側に偏らせて配置することも可能である。
【００４９】
つまり、支柱部材８に対して、図中（図１等）右側に第二大引支持部材１２に取り付けた第二大引材５が配置されているが、この場合、第一大引支持部材１０の中心（第一大引材４を支持する中心）を支柱部材８に対して図中左側に偏らせて（偏心）配置する。
具体的には、第一大引支持部材１０の底板部３０の中央部に形成される孔部３４等を、底板部３０の右寄り（図中）の位置に配置し、この位置で支柱部材８を支持する。
これにより、段床支持脚２に加わる第一大引支持部材１０及び第二大引支持部材１２からの荷重が、支柱部材８の両側（図中左右）に分散され、段床支持脚２の支持バランスが良くなる。
【００５０】
他に、段床支持脚２の支持バランスをとるため、段床支持脚２の支柱部材８等から主に基礎面１の前方にかけて斜材を配置し、段床支持脚２の固定を補強してもよい。
なお、通常、段床の各段に踏床材６（根太材７４、踏み板７６）を配置しこれを取り付けることにより、自ずと段床支持脚２の左右動も止められ、段床支持脚２が固定されて支持バランスもとれることになる。
【００５１】
また、段床支持脚２を、高さに応じたサイズを揃えるユニットタイプ化するような場合は、敢えて高さ調整は不要である。このため、支柱部材８を、単なる棒状の（螺子溝の無い）部材で形成し、この支柱部材と支持台９、第一大引支持部材１０、及び第二大引支持部材１２とを、それぞれ溶接等により固定した形態とすることも可能である。
また、第二大引支持部材１２の位置調整具４４の挿通孔部５４，５６自体に、螺子溝を刻設する等により、ナットを使用しないで、位置調整具４４を支柱部材８に高さ調整可能に螺着することが可能である。また、上板部４８の挿通孔部５４のみ螺子溝を刻設し、下板部５２の挿通孔部５６の下部にのみにナット６６を用い、位置調整具４４を支柱部材８に螺着することもできる。
【００５２】
次に、上記段床支持脚２を用いた段床構造３の施工等について説明する。
ここでは、建物（教育施設等）の基礎面１に上記段床構造３の段床を構築する。この段床は、例えば、基礎面１の前後方向の中間部から後方の全体にかけて構築する。
なお、基礎面１は平坦な場合が多いが、例えば傾斜地の利用等により基礎面１が斜面状の場合であっても、段床支持脚２の高さ調整等により何ら問題なく段床構造３を構築できる。
【００５３】
施工では先ず図７に示すように、基礎面１の前後方向に段床支持脚２を複数配置する。段床支持脚２同士の間隔は、踏み面１４の大きさ等に基づいて定める。段床支持脚２は、後方に向かうに従って丈の高い段床支持脚２を使用する。
各段床支持脚２同士の中央部には、通常形状の中間床支持脚７０を配置し踏み面１４の中央部を補強する。この中間床支持脚７０は、支持台にボルト材が立設され、このボルト材の上端部のみに大引支持部材の受け具が高さ調整可能に取り付けられた形状である。
上記中間床支持脚７０の大引支持部材の丈は、直前（同じ段）の段床支持脚２の第一大引支持部材１０の高さ（これは直後の段床支持脚２の第二大引支持部材１２の高さと同じ）と同じに調整する。
なお、最後部の段床支持脚２の後方の壁際等に、これと同じ高さの通常の床支持脚を配置すれば、段床の最上段の踏み面１４が形成できる。
【００５４】
また、基礎面１の横方向には同じ丈の段床支持脚２を、所定間隔をおいて一列に配置する。この横方向の段床支持脚２同士の間隔は、踏み面１４に加わる荷重等に応じて調整する。中間床支持脚７０についても、同様に配置し間隔を調整する。
段床支持脚２は、支持台９の固定部１８を基礎面１に固定する。このとき、基礎面１と固定部１８との間にゴム等の弾性板１９を介在させると、密着性が良く固定が安定し軋み音の防止にもなる。中間床支持脚７０についても、同様にして基礎面１に固定する。
【００５５】
そして、最前の段床支持脚２の第一大引支持部材１０の高さと、その直後の段床支持脚２の第二大引支持部材１２の高さとを同一に調整する。また、各段床支持脚２の第一大引支持部材１０と第二大引支持部材１２との間隔（両高さの差）を、段床の蹴上げの高さに調整する。後方の段床支持脚２についても、同様にして各高さを調整する。
【００５６】
最前の段床支持脚２の前方には、丈の低い床支持脚７２を配置する。これは、段床の前側は床の高さが低く、段床支持脚２を用いるのが困難となるためである。この床支持脚７２は、支持台にボルト材が立設され、このボルト材の上端部のみに大引支持部材の受け具が高さ調整可能に取り付けられた形状である。
上記床支持脚７２の高さは、最前の段床支持脚２の第二大引支持部材１２の高さと同一に調整する。そして、上記段床支持脚２と床支持脚７２との中間部には、この床支持脚７２と同じ高さの中間床支持脚７０を配置する。
【００５７】
さらに、上記前方に配置した床支持脚７２の直前に、これとは蹴上げ高さ分高さの低い床支持脚７２を配置する。そして、この床支持脚７２の前方にも同じ高さの床支持脚７２を配置する。これら両床支持脚７２の中間部にも、この床支持脚７２と同じ高さの中間床支持脚７０を配置する。また、上記各床支持脚７２の横方向には、それぞれ同じ丈の床支持脚７２を所定の間隔をおいて一列に配置する。
上記横方向の段床支持脚２同士の間隔、及び床支持脚７２同士の間隔は、荷重に応じて調整し、例えば５０〜２００ｃｍの間隔とする。また上記横方向の中間床支持脚７０同士の間隔についても、同様に調整する。
【００５８】
そして、図８に示すように、各横方向に配置した各段床支持脚２には、第一大引支持部材１０間に第一大引材４を配置し、第二大引支持部材１２間に第二大引材５を配置する。
第一大引材４は、第一大引支持部材１０の受け具２８に載置して取り付ける。このとき、受け具２８等の内側（下部、左右側部）には、ゴム等からなる弾性板材７３を貼着介在させてもよく、この介在により受け具と第一大引材４間の軋み音等を防止する。また、各受け具２８の上部には、大引固定具３７を締結して第一大引材４を挟持し、第一大引材４を受け具に固定する。
同様に、横方向に配置した各中間床支持脚７０の受け具間にも、それぞれ第一大引材４を載置し固定する。
【００５９】
また、第二大引材５は、第二大引支持部材１２の位置調整具４４に止着具４６を用いて取り付ける。止着具４６には、セルフドリリングビス等を用いる。
このとき、位置調整具４４の側板部５０の上下部位に、第二大引材５の両フランジ部６１を配置し押し当てる。そして、止着具４６を、第二大引材５のフランジ部６１から位置調整具４４の側板部５０にかけて螺設する。
【００６０】
止着具４６は、第二大引材５の各フランジ部６１から螺入し、位置調整具４４の側板部５０の上部近傍の左右部、及び下部近傍の左右部の４箇所にそれぞれ止着する。
他の段床支持脚２についても、同様に止着具４６を用いて、第二大引支持部材１２の位置調整具４４に第二大引材５を取り付ける。これにより、第二大引材５は一方の側面部５９が上部側に位置し（他方の側面部５９が下部側に位置）、この第二大引材５の上部側の水平な側面部５９に、踏床材６を配置する。
【００６１】
次に、段床の各段の踏み面１４の下地として、段床支持脚２等により同一高さに支持された前後の第一大引材４及び第二大引材５の上部、又は前後の各第一大引材４の上部に、踏床材６を配置して踏み面１４を形成する。ここでは、段床の踏床材６として、根太材７４及び踏み板７６を使用する。
この根太材７４としては、上面部７８、両側面部７９及び左右のフランジ部８０からなる断面ハット状の長尺状の鋼材を用いる。根太材７４として、他にＨ鋼、角型鋼等を用いることができる。
踏み板７６としては、例えば合板等のボード材を用いることができる。ここでは、板厚１２ｍｍの針葉樹合板を矩形状等に成形して用いる。蹴込板８２についても、同様に合板等のボード材を用いる。
【００６２】
根太材７４は、各段の、前端部の第一大引材４の上面部４５と後端部の第二大引材５の上部側の側面部５９間、又は前端部の第一大引材４と後端部の第一大引材４間に架設し、第一大引材４及び第二大引材５とは直交する方向に配置する。ここで、第二大引材５は、位置調整具４４に止着した状態では側面部５９が横向きの水平面状となり、この側面部５９に根太材７４を載置する。
根太材７４は、各段の横方向にも所定の間隔をおいて同様に配置する。この間隔は、踏み面１４の荷重及び踏み板７６の強度等を考慮して決めればよく、例えば２０〜１００ｃｍの間隔とする。根太材７４は、フランジ部８０にビスなど（セルフドリリングビス等）の止着具を用いて、第一大引材４の上面部４５、及び第二大引材５の上部側の側面部５９に固定する。
【００６３】
そして、上記各根太材７４の上部には、踏み板７６を敷設し段床の踏み面１４を形成する。ここでは、踏み板７６を二枚重ねて敷設する。踏み板７６は、ビス等を用いて根太材７４の上面部７８に固定する。
このように、段床支持脚２の第一大引支持部材１０により段床の上段部の踏み面１４の下地を形成し、第二大引支持部材１２により下段部に踏み面１４の下地を形成する。これら、上下段の各踏み面１４同士の間隔が蹴上げの高さとなる。
なお、踏み板７６が比較的強固なボード材によって構成される場合には、根太材７４を用いないで、第一大引材４の上面部４５と第二大引材５の上部側の側面部５９に直接踏み板７６を配置し、踏み面１４を形成することも可能である。
【００６４】
また、各段床の蹴込み部１３には、蹴込板８２を配置して蹴込み面を形成する。
このとき、段床の上段側に配置した根太材７４の端部に蹴込固定金具８４を取り付ける。この蹴込固定金具８４は金属（軽金属等）或いは合成樹脂材からなり、矩形状の固定板部８６、この固定板部８６の左右部から横に屈曲された側片部８７，８７、及び固定板部８６から下方に延設された当て片部８８を有する。
蹴込固定金具８４は、両側片部８７，８７を、それぞれ根太材７４の端部の両側面部７９の外側に嵌め、ビス等を各側片部８７から螺入して根太材７４の両側面部７９に固定する。
【００６５】
一方、段床の下段側には、踏み板７６の端部近傍に、木質の角材等のバー材からなる固定材９０を横向きに配置し、ビス、接着剤等により踏み板７６に固定する。なお、段床の最前部は、下方に踏み板７６がないため基礎面１上に直接固定材９０を配置、固定する。
蹴込板８２を垂直に配置する場合は、上段側の根太材７４に取り付けた蹴込固定金具８４の固定板部８６の直下に、下段側の固定材９０の前側部を位置させる。
そして、蹴込板８２として、蹴上げの高さの幅の長尺材を蹴込み部１３に配置する。この蹴込板８２は、その上部近傍を、ネジ９２（セルフドリリングネジ等）を用いて蹴込固定金具８４の固定板部８６に固定し、また下部近傍を、ネジ９２を用いて固定材９０の側部に固定して取り付ける。
【００６６】
段床の全体に踏み板７６及び蹴込板８２を敷設した後は、各踏み板７６及び蹴込板８２の表面にシート状の表面材を接着剤等により布設し、全体を仕上げる。
以上で、教室等の基礎面１に段床支持脚２を用いた段床構造３の段床が構築される。そして、段床構造３の各踏み面１４には、必要に応じて机、椅子、客席用の椅子等の設置を行う。
【００６７】
従って、上記実施の形態によれば、一つの段床支持脚で、段床の上段及び下段の各踏み面の下地等が形成されることから、材料が削減されて経済性にも優れ、また施工に係る作業も容易であるから、作業の効率化が図れて生産性及び施工性に優れる。
また、上記段床支持脚を用いた段床構造を構築する際、現場では主にビス等を用いて、各部材を組み立てて段床を完成することができることから、作業が迅速且つ容易に行えて生産性及び施工性に優れ、また、教室、ホール等の基礎面に、踏み面の大きさ、蹴上の高さなど適宜に設定可能な段床構造の段床が形成できて、段床構造の自由度が高く拡張性にも優れるという効果がある。
【符号の説明】
【００６８】
１  基礎面
２  段床支持脚
３  段床構造
４  第一大引材
５  第二大引材
６  踏床材
８  支柱部材
９  支持台
１０  第一大引支持部材
１２  第二大引支持部材
１３  蹴込み部
１４  踏み面
４４  位置調整具
４６  止着手段（止着具）
４８  上板部
５０  側板部
５２  下板部
５４，５６  挿通孔部
６９，７１  補強部材
【図１】
2018084089.tif 000003
【図２】
2018084089.tif 000004
【図３】
2018084089.tif 000005
【図４】
2018084089.tif 000006
【図５】
2018084089.tif 000007
【図６】
2018084089.tif 000008
【図７】
2018084089.tif 000009
【図８】
2018084089.tif 000010
【図９】
2018084089.tif 000011